(57)【要約】【課題】溶接棒乾燥機に溶接棒が収納された状態で、一定の温度で保管され、速やかに払出することができる溶接棒乾燥機の払出装置を提供する。【解決手段】本発明の溶接棒乾燥機の払出装置は、溶接棒乾燥機を収納し、溶接棒乾燥機に電源を供給するための接続部材が内部に設けられたチャンバが複数形成されるキャビネットと、チャンバの入口に設けられる開閉ドアと、を含んで構成される。【選択図】図１
2015116611.tif 000002
【特許請求の範囲】
【請求項１】
溶接棒乾燥機を収納し、前記溶接棒乾燥機に電源を供給するための接続部材が内部に設けられたチャンバが複数形成されるキャビネットと、
前記チャンバの入口に設けられる開閉ドアと、を含むことを特徴とする溶接棒乾燥機の払出装置。
【請求項２】
更に、前記チャンバ内には、溶接棒乾燥機の電源供給時間を設定するためのタイマを備えることを特徴とする請求項１に記載の溶接棒乾燥機の払出装置。
【請求項３】
前記タイマは、前記キャビネットの全てのチャンバに対して、単一、又は各チャンバ別に個別に設けられることを特徴とする請求項２に記載の溶接棒乾燥機の払出装置。
【請求項４】
前記接続部材は、溶接棒乾燥機の接続端子形態によって選択的に接続できるように、複数の接続部を備えることを特徴とする請求項１に記載の溶接棒乾燥機の払出装置。
【請求項５】
前記接続部は、接地式接続部と、コンセント式接続部とを含むことを特徴とする請求項４に記載の溶接棒乾燥機の払出装置。
【請求項６】
前記チャンバの個数分だけ、漏電遮断機が設けられることを特徴とする請求項１に記載の溶接棒乾燥機の払出装置。
【請求項７】
更に、前記チャンバ内には、収納された溶接棒乾燥機の払出可否を確認するための払出カード据置台を備えることを特徴とする請求項１に記載の溶接棒乾燥機の払出装置。
【請求項８】
更に、前記チャンバ内には、溶接棒乾燥機の収納可否を感知する感知センサを備えることを特徴とする請求項１に記載の溶接棒乾燥機の払出装置。
【請求項９】
更に、前記キャビネット又はチャンバには、正常と異常状態を確認するアラーム手段を備えることを特徴とする請求項１に記載の溶接棒乾燥機の払出装置。
【請求項１０】
溶接棒乾燥機を収納し、前記溶接棒乾燥機に電源を供給するための接続部材が内部に設けられたチャンバと、前記チャンバの入口に設けられる開閉ドアと、を含むモジュール型本体が複数備えられ、前記モジュール型本体の少なくとも一面には、他のモジュール型本体と結合するための締結手段が形成されることを特徴とする溶接棒乾燥機の払出装置。
【請求項１１】
更に、前記締結手段が形成された一面には、他のモジュール型本体と電気的に連結するための接続手段が備えられることを特徴とする請求項１０に記載の溶接棒乾燥機の払出装置。
【請求項１２】
更に、前記モジュール型本体には、一面に設けられた締結手段と結合可能な支持部材を備えることを特徴とする請求項１０に記載の溶接棒乾燥機の払出装置。
【請求項１３】
更に、前記チャンバ内には、溶接棒乾燥機の電源供給時間を設定するためのタイマを備えることを特徴とする請求項１０に記載の溶接棒乾燥機の払出装置。
【請求項１４】
前記タイマは、前記モジュール型本体のチャンバに対して、単一、又は、各チャンバ別に個別に設けられることを特徴とする請求項１３に記載の溶接棒乾燥機の払出装置。
【請求項１５】
更に、前記チャンバ内には、溶接棒乾燥機の収納可否を感知する感知センサを備えることを特徴とする請求項１０に記載の溶接棒乾燥機の払出装置。
【発明の詳細な説明】
【技術分野】
【０００１】
本発明は、溶接棒乾燥機の払出装置に関し、より詳しくは、溶接棒乾燥機に溶接棒が収納された状態で、一定の温度で保管でき、多数の作業者が煩わしさや不便さを感じることなく、速かに払出できる溶接棒乾燥機の払出装置に関する。
【背景技術】
【０００２】
被覆アーク溶接（ＳＭＡＷ、Ｓｈｉｅｌｄｅｄ  Ｍｅｔａｌ  Ａｒｃ  Ｗｅｌｄｉｎｇ）は、アーク溶接において、最初に開発された溶接であって、現在も、広く使用されている溶接方法の１つである。被覆アーク溶接は、芯線に被覆剤を塗布した電極棒と母材との間にアークを生じさせて溶接する。主に、軟鋼、低合金鋼、ステンレス鋼、鋳鉄などの溶接に広く使用されている。また、溶接構造物の肉厚や溶接姿勢にも特別な制約がないので、造船、橋梁、建築、石油精製産業などで広く使用されている。
【０００３】
被覆アーク溶接に用いられる溶接棒は、アークを発生する金属棒の外周縁に被覆剤がコーティングされたものである。そのため被覆剤が剥離するか、湿気がこもっていると、使用することができず、アークの発生がスムーズに行われない。溶接棒の保管には、被覆剤が剥離しないようにし、且つ、湿気がこもることを防止しなければならない。従来においては、携帯用の溶接棒乾燥機で使い切れなかった溶接棒は、分離して別の電気施設が揃った乾燥オーブンに入れて保管し、携帯用の溶接棒乾燥機は、棚などに積載して保管していた。
【０００４】
複数の箇所で溶接を行なう大規模な作業現場では、一度に多数の作業者に携帯用の溶接棒乾燥機を支給しなくてはならないが、多大な時間を要していた。即ち、携帯用の溶接棒乾燥機を予熱するには一定の予熱時間がかかり、数十分乃至数時間を待ってから支給されていたので、非常に煩わしくて不便であった。
【０００５】
また、携帯用の溶接棒乾燥機の加熱が完了した後、乾燥オーブンに保管された溶接棒を携帯用の溶接棒乾燥機に移す作業も、非常に煩わしくて不便であった。このように、従来においては、多数の作業者に携帯用の溶接棒乾燥機を支給することは、時間がかかり、また支給の手間もかかるという不都合を有していた。
【先行技術文献】
【特許文献】
【０００６】
【特許文献１】大韓民国登録実用新案第２０−０２４８５６２号
【特許文献２】大韓民国登録実用新案第２０−０２１８６１３号
【特許文献３】大韓民国公開特許第１０−２０１３−００９３２８２号
【発明の概要】
【発明が解決しようとする課題】
【０００７】
本発明の目的は、溶接棒乾燥機と溶接棒を別々に保管せず、溶接棒乾燥機に溶接棒が収納された状態で、一定の温度で保管すると共に、多数の作業者が煩わしさや不便さを感じることなく、速やかに払出することができる溶接棒乾燥機の払出装置を提供することにある。
【０００８】
本発明の他の目的は、溶接棒乾燥機の払出装置が、溶接棒乾燥機の接続端子の形態によらず、スムーズに接続できるようにすることにある。
【０００９】
本発明の更に他の目的は、溶接棒乾燥機の払出装置が、単位ユニット形態での使用もスムーズに行えるようにすることにある。
【課題を解決するための手段】
【００１０】
本発明による溶接棒乾燥機の払出装置は、溶接棒乾燥機を収納し、前記溶接棒乾燥機に電源を供給するための接続部材が内部に設けられたチャンバが複数形成されるキャビネットと、前記チャンバの入口に設けられる開閉ドアと、を含んで構成されることを特徴とする。
【００１１】
また、本発明による他の溶接棒乾燥機の払出装置は、溶接棒乾燥機を収納し、前記溶接棒乾燥機に電源を供給するための接続部材が内部に設けられたチャンバと、前記チャンバの入口に設けられる開閉ドアと、を含むモジュール型本体が複数備えられ、前記モジュール型本体の少なくとも一面には、他のモジュール型本体と結合するための締結手段が形成されることを特徴とする。
【発明の効果】
【００１２】
本発明は、溶接棒乾燥機と溶接棒とを別々に保管することなく、溶接棒乾燥機に溶接棒が収納された状態で、一定の温度に保管すると共に、多数の作業者が煩わしさや不便さを感じることなく、速かに払出することができ、最小限の時間内に溶接棒乾燥機を払出することができ、高い経済性を有するようにできる。
【００１３】
また、払出した溶接棒乾燥機に収納された溶接棒は、最良の状態で溶接が行えることにより、溶接作業の効率性も高めることができるという効果を奏する。
【００１４】
更に、溶接棒乾燥機の接続端子の形態によらず、接続ができるので、溶接棒乾燥機に設けられた接続端子に関係なく、互換性も優れるという効果を奏する。
【００１５】
また、単位ユニット形態への使用もスムーズに行えるので、作業条件や設置空間によって適正な大きさに組立てることができ、空間活用度を極大化することができるという効果を奏する。
【図面の簡単な説明】
【００１６】
【図１】本発明を説明するための全体斜視図である。
【図２】本発明の開閉ドアが閉鎖した状態のチャンバを説明するための要部拡大図である。
【図３】図２の開閉ドアが開放した状態のチャンバを説明するための要部拡大図である。
【図４】本発明の配置状態を説明するための斜視図である。
【図５】本発明の他の実施例を説明するための要部分解斜視図である。
【発明を実施するための形態】
【００１７】
本発明の望ましい実施例を、添付の図面を参照して詳述する。
【００１８】
図１は、本発明を説明するための全体斜視図であり、図２は、本発明の開閉ドアが閉鎖した状態のチャンバを説明するための要部拡大図であり、図３は、図２による開閉ドアが開放した状態のチャンバを説明するための要部拡大図である。
【００１９】
図１には、溶接棒を収納し、被覆剤が剥離するか、湿気がこもらないように、予熱させて使用できる公知の溶接棒乾燥機（Ｄ）を、一度に多量に払出可能な払出装置１を示している。本発明は、溶接棒乾燥機（Ｄ）と溶接棒とを別に保管するものではなく、溶接棒乾燥機（Ｄ）に溶接棒が収納された状態で、一定の温度で保管すると共に、多くの作業者が煩わしさや不便さを感じることなく、速かに払出できるようにすることにある。
【００２０】
本発明による払出装置１は、溶接棒乾燥機（Ｄ）を個別にそれぞれ収納し、溶接棒乾燥機（Ｄ）を予熱するために、電源を供給するための接続部材２０が内部に設けられたチャンバ１２が複数形成されるキャビネット１０と、チャンバ１２の入口に通常の開閉方式で開閉可能に設けられる開閉ドア１４とを含む。キャビネット１０は、溶接棒乾燥機（Ｄ）が収納されるチャンバ１２が最大限に構成されるように、一定の幅及び長さを有し、上面には、運搬部材であるアイボルトが装着される。
【００２１】
換言すると、キャビネット１０に設けられた複数のチャンバ１２に、溶接棒と溶接棒乾燥機（Ｄ）とを別に保管するのではなく、溶接棒が収納された溶接棒乾燥機（Ｄ）を個別に収納すると共に、予熱まで行えるようにする。そのため、従来のような溶接棒と溶接棒乾燥機（Ｄ）とを別々に保管する施設物が不要となるので、収納空間の活用度が向上できる。合わせて、キャビネット１０に設けられた複数のチャンバ１２内に溶接棒乾燥機（Ｄ）を個別に収納すると共に、予熱まで行えるようにすることで、作業者が速かに払出することができる。それにより、従来のような時間浪費はもちろん、手間を最小化することができ、高い経済性も有し、払出後にも溶接棒を直ちに使用することができるので、溶接作業の効率性も高めるというメリットを有する。
【００２２】
チャンバ１２には、溶接棒乾燥機（Ｄ）の給電時間を設定するため、すなわち予熱のための時間を調整するタイマ（図示せず）を含む。タイマは、キャビネット１０の全てのチャンバ１２に対して全体に１つを設けるか、チャンバ１２に個別に設けられる。ここで、溶接棒乾燥機（Ｄ）自体にも、タイマを設けることができる。タイマは、接続部材２０に設けることが望ましい。それにより、チャンバ１２内に収納された溶接棒乾燥機（Ｄ）の予熱を、タイマによって必要な時間に予熱するか、払出時間に合わせて、スムーズな予熱を行なうことができる。
【００２３】
接続部材２０は、溶接棒乾燥機（Ｄ）の接続端子（Ｄ１）の形態により選択的に接続できるように、複数の接続部を有し、具体的には接地式接続部２２とコンセント式接続部２４を備える。つまり、溶接棒乾燥機（Ｄ）に設けられる接続端子（Ｄ１）は、使用する作業場の現場条件によって、通常のピン方式の接地式とプラグなどのような形態に形成されるが、接続端子によらず、１つの接続部材に選択的に使用できる接地式接続部とコンセント式接続部とを備えて、使用の便利性と優れた互換性を有することができる。
【００２４】
また、接続部材２０には、電気を印加するための通常のオン／オフスイッチなどのような電源スイッチ（図示せず）と、この電源スイッチの作動可否を目視で判別表示する表示灯２６とを含むことにより、ユーザが、電熱可否を、表示灯により容易に確認することができる。そして、チャンバ１２の個数分だけ予熱する過程で、過電圧又は過電流などのような電気的な異常時にも安全に使用できるように、キャビネット１０の上面やチャンバ１２の内部に漏電遮断機２８を設ける。ここで、漏電遮断機２８は、場合によって、複数のチャンバ１２を同時に接続して使用することもできる。
【００２５】
また、チャンバ１２内には、収納した溶接棒乾燥機（Ｄ）の払出可否を確認するための払出カード据置台１５を設け、払出カード据置台１５は、チャンバ１２内の一側に払出カード（図示せず）を立てて据え置きするように、チャンバ１２の底面で垂直に形成される区画板１５Аの形態で設けられる。それにより、チャンバ１２内に保管される溶接棒乾燥機（Ｄ）の払出可否を、簡単で且つ便利に確認することができるという便利性を提供する。
【００２６】
また、チャンバ１２内には、更に、溶接棒乾燥機（Ｄ）の収納可否を感知する感知センサ（図示せず）を設ける。感知センサは、通常の重量センサや光センサ、接触センサなどのように、チャンバ１２内に溶接棒乾燥機（Ｄ）が収納されたとき、収納可否を感知する公知のセンサを用いてもよい。ここで、感知センサは、通常の制御部と連結されて、溶接棒乾燥機（Ｄ）がチャンバ１２内に収納又は未収納の状態を感知して、使用者や中央制御室などに、通知し又は表示できるように連結される。それにより、チャンバ１２内に保管及び予熱しようとする溶接棒乾燥機（Ｄ）が正しく収納されているか否かを、簡単で且つ便利に確認することができる。
【００２７】
また、キャビネット１０又はチャンバ１２には、正常と非正常の状態を確認することができるアラーム手段（図示せず）を含む。アラーム手段は、通常のスピーカなどを介して、音で報知するか、又は、表示手段であるスクリーンなどを介して、溶接棒乾燥機（Ｄ）が正しく収納されて予熱が行われているか、もしくは、給電などがスムーズに行われているかを、制御部と連結されて報知できる公知の手段であれば足りる。また、アラーム手段は、前述した接続部材や漏電遮断機、表示灯や感知センサなど、払出や予熱に関する構成要素と制御部に連結されて、報知できるように具現することが望ましい。
【００２８】
一方、各開閉ドア１４と、開閉ドア１４と接するキャビネット１０の各前面には、安全のために、使用者の他に使用を制限するロック部１４０を含む。すなわち、ロック部１４０は、開閉ドア１４と、開閉ドア１４が閉じたとき、接するキャビネット１０の前面に錠などをかけてロックする通常のロックリングであって、使用を制限するための手段である。また、開閉ドア１４は、一側が回転可能な複数のヒンジ部１４２を備え、ヒンジ部１４２の反対側に、開閉のための取っ手１４４を含む。合わせて、開閉ドア１４は、ヒンジ部１４２と取っ手１４４とが形成される枠フレーム１４Ａと、枠フレーム１４Ａの内側に、透視可能で且つ通気が行われる網部１４Ｂとからなる。また、開閉ドア１４の前方には、チャンバ１２に関する事項が表示される表示部材１４Ｃを設ける。すなわち、チャンバ１２を使用する作業者の身分などを証明するようにして、指定の作業者のみが使用できるようにする。また、キャビネット１０は、必要に応じて、通常のブラケットやボルトとナットなどのような連結手段によって、上／下、又は、左／右方向に連続的に連結されるので、多数の溶接棒乾燥機（Ｄ）を保管できる。
【００２９】
図４に示すように、キャビネット１０は、空間を最大に活用するため開閉ドアが互いに対向する両側と、前方又は後方のいずれか一方に配置される。出入路となる部分には配置されない。すなわち、‘コ’字状に形成して、最小限の空間で最大の溶接棒乾燥機（Ｄ）を保管するようにする。それにより、溶接棒乾燥機（Ｄ）の払出に際して、多くの作業員が集まっても、速やかに払出が行える。効率よく且つ高い空間の活用度を得ることができる。
【００３０】
図５は、本発明の他の実施例を説明するための要部分解斜視図である。図５に示すように、払出装置１をキャビネット形態ではなく、モジュール型に製作して、作業現場や空間又は条件により、１つから数個乃至数十個に設置できるようにする。同一の構成に対しては、同一の符号を付けて説明する。
【００３１】
本発明による他の実施例である払出装置１は、溶接棒乾燥機（Ｄ）を収納し、溶接棒乾燥機（Ｄ）に電源を供給するための接続部材が内部に設けられたチャンバ１２と、チャンバ１２の入口に設けられる開閉ドア１４とを含むモジュール型本体１０Ａが複数形成され、モジュール型本体１０Ａの少なくとも一面には、他のモジュール型本体１０Ａと結合されるための通常のブラケットやボルト及びナットなどのような通常の締結手段（図示せず）が設けられる。モジュール型本体１０Ａは、一つの溶接棒乾燥機（Ｄ）のみを収納することができる直方体状の大きさで、従来のように、溶接棒乾燥機（Ｄ）と溶接棒とを分離して保管するものではなく、溶接棒乾燥機（Ｄ）に溶接棒を挿入した状態で、保管しながら予熱が行われるようにする。それにより、モジュール型本体１０Ａは、使用者が必要とする場所に備えて、使用する便宜性を提供する。
【００３２】
一方、モジュール型本体１０Ａを複数備え、複数のモジュール型本体１０Ａを設置条件や現場によって、締結手段により単位ユニット化してもよい。ここで、モジュール型は、１つ１つずつの箱をいい、単位ユニットは、この箱が合わされた複合形態を意味する。言い換えると、モジュール型本体１０Ａを、締結手段を用いて、上、下に積層するか、又は、左、右に連結させて、設置条件や現場によって、小単位に単位ユニット化して使用するようにすることで、実用性と高い互換性を併せ持つことができる。
【００３３】
そして、締結手段は、公知の様々な形態で具現することができるものであり、通常の複数のブラケットやボルトとナットなどによって、モジュール型本体１０Ａを横に連結する。また、締結手段は、モジュール型本体１０Ａの互いに対応する位置に、通常の結合突起と結合溝を形成して、互いに横に連結してもよい。
【００３４】
一方、締結手段の他に、公知の方式によって、モジュール型本体１０Ａを上、下、左、右に連結できる手段を適用してもよい。それによって、作業現場の設置条件や現場条件に対応して、モジュール型本体１０Ａを、締結手段を用いて、必要とする個数分を連結させ、いずれの作業条件にも適した大きさに組立てて使用することができる。便利性が提供できる。また、締結手段が形成されたモジュール型本体１０Ａの一面には、他のモジュール型本体１０Ａと電気的に連結するための接続手段（図示せず）が設けられる。接続手段は、通常の接続端子台と接続端子函、又は接続口と接続函などのように、噛み合って電気的な接続が行われるような形態であることが望ましく、通常のコンセントとプラグを使ってもよい。
【００３５】
また、モジュール型本体１０Ａには、一面に備えられた締結手段と結合可能なブラケットやゴムパッキング、又はキャスタなどのように、モジュール型本体１０Ａの積載が安全で且つ安定して行える支持部材（図示せず）を含む。それによって、締結手段と共に支持部材を用いて、モジュール型本体１０Ａを、現場条件や設置空間に対応して、必要とする単位ユニット形態へ組立てることが容易となる。一方、モジュール型本体１０Ａにも、溶接棒乾燥機（Ｄ）の電源供給時間を設定するためのタイマと、感知センサと、アラーム手段と、が備えられる。これについては前述のとおりであり、詳しい説明は省略する。
【符号の説明】
【００３６】
１    払出装置
１０    キャビネット
１０Ａ    モジュール型本体
１２    チャンバ
１４    開閉ドア
１４Ａ    枠フレーム
１４Ｂ    網部
１４Ｃ    表示部材
１５    払出カード据置台
１５Ａ    区画板
２０    接続部材
２２    接地式接続部
２４    コンセント式接続部
２６    表示灯
２８    漏電遮断機
１４０    ロック部
１４２    ヒンジ部
１４４    取っ手
Ｄ    溶接棒乾燥機
Ｄ１    接続端子
【図１】
2015116611.tif 000003
【図２】
2015116611.tif 000004
【図３】
2015116611.tif 000005
【図４】
2015116611.tif 000006
【図５】
2015116611.tif 000007